【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
所与の波長（λ１）における光信号（ＩＳ）の波長変換及び再生を行うための方法において、前記光信号（ＩＳ）は、少なくとも第１及び第２の論理値を有するように変調されるようになっており、
各波長（λ２）における他の光信号の切り換え可能なソース（２）を設けるステップと、
前記所与の波長（λ１）が前記各波長（λ２）と異なるときに、前記各波長（λ２）における前記他の光信号を生成するために前記ソースを選択的に切り換える（３）ステップと、
出力信号（ＯＳ）を生成するための干渉計（１０）を設けるステップであって、前記干渉計（１０）が、前記変調された光信号（ＩＳ）と、前記ソース（２）によって生成された前記各波長（λ２）における前記他の光信号とを受け取るように構成されており、前記各変調された光信号（ＩＳ）が前記第１の論理値を有するときには、前記ソース（２）により生成された前記他の光信号が、弱め合う干渉を引き起こし、前記変調された光信号が前記第２の論理値を有するときには、強め合う干渉を引き起こすことからなる、ステップ
を含み、
前記所与の波長（λ１）が前記各波長（λ２）に相当する場合には、前記出力信号（ＯＳ）は、前記干渉計（１０）において再生される前記変調された光信号（ＩＳ）の複製であり、
前記所与の波長（λ１）が前記各波長（λ２）と異なる場合には、前記出力信号（ＯＳ）は、前記干渉計（１０）において再生される前記変調された信号（Ｉ）の複製であり、前記複製は、前記各波長（λ２）に波長変換されることを特徴とする、方法。
【請求項２】
前記各波長（λ２）とは異なる波長における前記出力信号（ＯＳ）の任意の成分を前記干渉計（１０）の出力においてフィルタリングして除去する（１２）ステップを含むことを特徴とする、請求項１に記載の方法。
【請求項３】
前記各波長（λ２）に感応する選択フィルタ（８）を設けるステップと、
前記所与の波長（λ１）が前記各波長（λ２）に相当するときと、前記所与の波長（λ１）が前記各波長（λ２）と異なるときとで、異なる値を有する切り換え制御信号を発生する（６）ように、前記選択フィルタ（８）に前記変調された光信号（ＩＳ）の少なくとも一部を供給（７）するステップと、
前記切り換え制御信号（３，４，６）を使用して、前記ソース（２）の切り換えを制御するステップ
を含むことを特徴とする、請求項１又は２に記載の方法。
【請求項４】
光電変換（６）によって前記選択フィルタ（８）の出力に前記切り換え制御信号を発生するステップを含むことを特徴とする、請求項３に記載の方法。
【請求項５】
基準閾値（５）と前記切り換え制御信号（６）とを比較するステップをさらに含み、前記切り換え制御信号（６）と前記基準閾値（５）との比較結果が、前記ソース（２）の切り換えを制御するために使用されることを特徴とする、請求項３又は４に記載の方法。
【請求項６】
前記干渉計を、マイケルソン干渉計（１０）として選択するステップを含むことを特徴とする、請求項１乃至５のいずれかに記載の方法。
【請求項７】
前記マイケルソン干渉計（１０）が、光結合器を形成する受動型光導波路を含むことを特徴とする、請求項６に記載の方法。
【請求項８】
前記光導波路が５０：５０の光結合器を形成することを特徴とする、請求項７に記載の方法。
【請求項９】
前記干渉計（１０）が、半導体光増幅器（ＳＯＡ）を含むことを特徴とする、請求項６乃至８のいずれかに記載の方法。
【請求項１０】
前記ソース（２）の切り換えを制御するために前記変調された信号（ＩＳ）の一部を分割し（７）、前記変調された信号（ＩＳ）の残りの部分を生成するステップと、
前記変調された信号（ＩＳ）の前記残りの部分を前記干渉計（１０）に向けて伝搬させるステップと、
前記ソース（２）がオンになったときに、前記ソース（２）によって生成された前記他の光信号と前記変調された信号（ＩＳ）の前記残りの部分を前記干渉計（１０）の上流（９）において結合するステップ
を含むことを特徴とする、請求項１乃至９のいずれかに記載の方法。
【請求項１１】
前記干渉計（１０）に向けて伝搬させている間に、前記変調された信号（ＩＳ）の前記残りの部分を遅延させる（１１）ステップを含むことを特徴とする、請求項１０に記載の方法。
【請求項１２】
前記ソース（２）が、前記各波長（λ２）における連続した光信号のソースとして選択されることを特徴とする、請求項１乃至１１のいずれかに記載の方法。
【請求項１３】
前記所与の波長（λ１）が前記各波長（λ２）に相当するとき、前記ソース（２）を選択的に切り換えて（３）、ソースからの出力光信号を除去するステップを含むことを特徴とする、請求項１に記載の方法。
【請求項１４】
前記所与の波長（λ１）が前記各波長（λ２）に相当するときに、他の各波長（λ３）における出力光信号を発生するために、前記ソース（２）を選択的に切り換える（３）ステップを含み、
前記他の各波長（λ３）は、前記各波長（λ２）と異なっており、
前記所与の波長（λ１）が前記各波長（λ２）に相当するときであるか、前記所与の波長（λ１）が前記各波長（λ２）と異なるときであるかにかかわらず、光信号を前記干渉計（１０）に供給するように構成されることを特徴とする、請求項１に記載の方法。
【請求項１５】
前記各波長（λ２）とは異なる波長における前記出力信号（ＯＳ）の任意の成分を、前記干渉計（１０）の出力においてフィルタリングして除去する（１２）ステップを含むことを特徴とする、請求項１４に記載の方法。
【請求項１６】
所与の波長（λ１）における光信号（ＩＳ）の波長変換及び再生を行うためのシステムにおいて、前記光信号（ＩＳ）は、少なくとも第１及び第２の論理値を有するように変調されるようになっており、
各波長（λ２）における他の光信号の切り換え可能なソース（２）と、
前記所与の波長（λ１）が前記各波長（λ２）と異なるときに、前記各波長（λ２）における前記他の光信号を生成するために、前記ソース（２）を選択的に切り換えるための切り換え要素（３）と、
出力信号（ＯＳ）を生成するための干渉計（１０）であって、前記干渉計（１０）は、前記変調された光信号（ＩＳ）、及び前記ソース（２）によって生成された前記各波長（λ２）における前記他の光信号を受け取るように構成され、前記変調された光信号（ＩＳ）が前記第１の論理値を有するときには、前記ソース（２）によって生成された前記他の光信号は弱め合う干渉を引き起こし、前記変調された光信号が前記第２の論理値を有するときには、強め合う干渉を引き起こすように構成されることからなる、干渉計
を備え、
前記所与の波長（λ１）が前記各波長（λ２）に相当するときには、前記出力信号（ＯＳ）は、前記干渉計（１０）において再生される前記変調された光信号（ＩＳ）の複製であり、
前記所与の波長（λ１）が前記各波長（λ２）と異なるときには、前記出力信号（ＯＳ）は、前記干渉計（１０）において再生される前記変調された信号（Ｉ）の複製であり、前記複製は、前記各波長（λ２）に波長変換される
ことを特徴とする、システム。
【請求項１７】
前記各波長（λ２）とは異なる波長における前記出力信号（ＯＳ）の任意の成分を、前記干渉計（１０）の出力においてフィルタリングして除去するための出力フィルタ（１２）を含むことを特徴とする、請求項１６に記載のシステム。
【請求項１８】
前記ソース（２）のオン及びオフへの切り換えを制御するための切り換え制御信号（６）を生成するために、前記変調された光信号（ＩＳ）の少なくとも一部を受け取るための、前記各波長（λ２）に感応する選択フィルタ（８）を含み、前記所与の波長（λ１）が前記各波長（λ２）に相当するときと、前記所与の波長（λ１）が前記各波長（λ２）と異なるときとで、前記切り換え制御信号が異なる値を有することを特徴とする、請求項１６又は１７に記載のシステム。
【請求項１９】
前記切り換え制御信号を生成するために、前記選択フィルタ（８）に縦続接続されたフォトダイオード（６）をさらに含むことを特徴とする、請求項１８に記載のシステム。
【請求項２０】
基準閾値（５）と前記切り換え制御信号（６）とを比較するための比較器（４）をさらに含み、前記切り換え制御信号（６）と前記基準閾値（５）との比較結果が、前記切り換え要素（３）を制御して前記ソース（２）を切り換えるために使用されることを特徴とする、請求項１８又は１９に記載のシステム。
【請求項２１】
前記干渉計（１０）が、マイケルソン干渉計であることを特徴とする、請求項１６乃至２０のいずれかに記載のシステム。
【請求項２２】
前記マイケルソン干渉計（１０）が、光結合器を形成する受動型光導波路を含むことを特徴とする、請求項２１に記載のシステム。
【請求項２３】
前記光導波路が５０：５０の光結合器を形成することを特徴とする、請求項２２に記載のシステム。
【請求項２４】
前記干渉計（１０）が、半導体光増幅器（ＳＯＡ）を含むことを特徴とする、請求項２１乃至２３のいずれかに記載のシステム。
【請求項２５】
前記ソース（２）の切り換えを制御するために前記変調された信号（ＩＳ）の一部を分割して、前記変調された信号（ＩＳ）の残りの部分を生成するためのスプリッタ要素（７）と、
前記残りの部分を前記干渉計（１０）に向けて伝搬させるための伝搬線（１１）と、
前記ソース（２）がオンになると、前記ソース（２）によって再生された前記他の光信号と前記変調された信号（ＩＳ）の前記残りの部分とを結合するために前記干渉計（１０）の上流（９）に配置された結合器（９）
を含むことを特徴とする、請求項１６乃至２４のいずれかに記載のシステム。
【請求項２６】
前記伝搬線（１１）が、前記変調された信号（ＩＳ）の前記残りの部分が前記干渉計（１０）に向けて伝搬している間に、前記残りの部分を遅延させるように配置されていることを特徴とする、請求項２５に記載のシステム。
【請求項２７】
前記ソース（２）が、前記各波長（λ２）における連続した光信号のソースであることを特徴とする、請求項１６乃至２６のいずれかに記載のシステム。
【請求項２８】
前記所与の波長（λ１）が前記各波長（λ２）に相当するときに、前記切り換え要素（３）が、前記ソース（２）を選択的に切り換えて、ソースからの出力光信号を除去するように構成されることを特徴とする、請求項１６に記載のシステム。
【請求項２９】
前記切り換え要素（３）は、前記所与の波長（λ１）が前記各波長（λ２）に相当するときに、前記ソース（２）を選択的に切り換えて、他の各波長（λ３）における出力光信号を生成するように構成されており、前記他の各波長（λ３）は前記各波長（λ２）と異なっており、
前記所与の波長（λ１）が前記各波長（λ２）に相当するときと、前記所与の波長（λ１）が前記各波長（λ２）と異なるときとに関係なく、光信号を前記干渉計（１０）に供給するように構成されていることを特徴とする、請求項１６に記載のシステム。
【請求項３０】
前記各波長（λ２）とは異なる波長における前記出力信号（ＯＳ）の任意の成分を前記干渉計（１０）の出力においてフィルタリングして除去するためのフィルタ（１２）を含むことを特徴とする、請求項２９に記載のシステム。